(57)【特許請求の範囲】
【請求項１】
特定エリアへの入退室を管理する入退室管理システムであって、
入退室情報から求められる前記特定エリア内の在室者数が、１名になったときには、少なくともその在室者の個人ＩＤおよび１名在室開始の発生日時の情報を有する「１名在室開始履歴」を記録し、その後に１名でなくなったときには、少なくとも前記在室者の個人ＩＤおよび１名在室終了の発生日時の情報を有する「１名在室終了履歴」を記録する１名在室履歴記録手段を備え、
少なくとも前記特定エリアに入室した人物の個人ＩＤおよびその入室日時の情報を有する「入室」イベント情報と、少なくとも前記特定エリアから退室した人物の個人ＩＤおよびその退室日時の情報を有する「退室」イベント情報と、前記「１名在室開始履歴」と、前記「１名在室終了履歴」と、を１つのイベント履歴ファイルに時系列に記録することを特徴とする入退室管理システム。
【請求項２】
前記特定エリア内の在室者数が１名になったときの入退室情報と、その後に１名でなくなったときの入退室情報とから、１名在室時間を算出する１名在室時間算出手段を備えることを特徴とする請求項１に記載の入退室管理システム。
【請求項３】
前記１名在室時間算出手段により算出された１名在室時間を前記「１名在室終了履歴」の一部として記録することを特徴とする請求項２に記載の入退室管理システム。
【請求項４】
前記特定エリアへの入退室用の少なくとも１つのゲートと、
該ゲートに対応して設けられるＩＤ入力端末と、
前記ゲートおよびＩＤ入力端末に接続し、ＩＤ入力端末からの入力ＩＤ情報と予め登録された登録ＩＤ情報とを照合して両者が一致したときゲートを解錠する入退室制御装置と、
該入退室制御装置に接続し、入室者の個人情報および入退室イベント情報の履歴を格納管理する管理サーバと、
を備えた入退室管理システムであって、
前記１名在室時間算出手段による１名在室時間の算出を前記入退室制御装置により行うことを特徴とする請求項２または請求項３に記載の入退室管理システム。
【請求項５】
前記ゲートが複数設けられている場合において、
所定のゲートおよびそのＩＤ入力端末に接続するように前記入退室制御装置を複数台設け、
前記１名在室時間算出手段による１名在室時間の算出を前記複数の入退室制御装置の間で共有可能に行うことを特徴とする請求項４に記載の入退室管理システム。
【発明の詳細な説明】
【技術分野】
【０００１】
本発明は、入退室管理システムに関する。
【背景技術】
【０００２】
セキュリティを要する部屋等に一名で在室すると内部犯罪が生じやすくなるため、これを回避するために、従来の入退室管理システムには、在室人数を監視して２名になると退室時に２名照合を促して在室者数が１名にならないようにする機能を備えたものがある。一方、特許文献１には、退室者以外に所定人数以上の人が存在しないと判定した際に、退室者の退室を不許可にする技術が記載されている。
【先行技術文献】
【特許文献】
【０００３】
【特許文献１】特開２００１−１７５９０５号公報
【発明の概要】
【発明が解決しようとする課題】
【０００４】
しかしながら、前記特許文献１の技術によると、後に誰がどの部屋にどのくらいの時間在室していたかを抽出することが困難となる。
【０００５】
本発明は、セキュリティ室などの特定エリアで１名になった事象を検索し、誰がどこで１名になったかを容易に検索可能な入退室管理システムを提供することを目的とする。
【課題を解決するための手段】
【０００６】
本発明は、前記課題を解決するため、特定エリアへの入退室を管理する入退室管理システムであって、入退室情報から求められる前記特定エリア内の在室者数が、１名になったときには、少なくともその在室者の個人ＩＤおよび１名在室開始の発生日時の情報を有する「１名在室開始履歴」を記録し、その後に１名でなくなったときには、少なくとも前記在室者の個人ＩＤおよび１名在室終了の発生日時の情報を有する「１名在室終了履歴」を記録する１名在室履歴記録手段を備え、少なくとも前記特定エリアに入室した人物の個人ＩＤおよびその入室日時の情報を有する「入室」イベント情報と、少なくとも前記特定エリアから退室した人物の個人ＩＤおよびその退室日時の情報を有する「退室」イベント情報と、前記「１名在室開始履歴」と、前記「１名在室終了履歴」と、を１つのイベント履歴ファイルに時系列に記録することを特徴とする。
【０００７】
当該入退室管理システムによれば、「１名在室開始履歴」および「１名在室終了履歴」の両データを履歴項目として記録することにより、１名在室履歴の検索を容易に行える。これにより、定期的な監査を行う場合、１名で在室した実績のある者に対して注意をすることが可能となる。また、何らかの内部犯罪が発生した場合に１名で在室した履歴を出力し、犯人追跡に役立てることができる。
【０００８】
また、本発明は、前記特定エリア内の在室者数が１名になったときの入退室情報と、その後に１名でなくなったときの入退室情報とから、１名在室時間を算出する１名在室時間算出手段を備えることを特徴とする。
【０００９】
当該入退室管理システムによれば、入退室情報を利用して１名在室時間を算出することにより、簡単な演算プログラムで１名在室時間を算出できる。
【００１０】
また、本発明は、前記１名在室時間算出手段により算出された１名在室時間を前記「１名在室終了履歴」の一部として記録することを特徴とする。
【００１１】
当該入退室管理システムによれば、容易に１名在室時間を集計でき、管理者にとっても１名在室時間を把握しやすくなる。
【００１２】
また、本発明は、前記特定エリアへの入退室用の少なくとも１つのゲートと、該ゲートに対応して設けられるＩＤ入力端末と、前記ゲートおよびＩＤ入力端末に接続し、ＩＤ入力端末からの入力ＩＤ情報と予め登録された登録ＩＤ情報とを照合して両者が一致したときゲートを解錠する入退室制御装置と、該入退室制御装置に接続し、入室者の個人情報および入退室イベント情報の履歴を格納管理する管理サーバと、を備えた入退室管理システムであって、前記１名在室時間算出手段による１名在室時間の算出を前記入退室制御装置により行うことを特徴とする。
【００１３】
仮に１名在室時間算出手段による１名在室時間の算出を管理サーバで行おうとした場合、管理サーバに送信される膨大な入退室イベント履歴から１名在室時間を算出することになるので処理時間をかなり要するおそれがある。また、管理サーバがダウンした場合には１名在室時間を算出できなくなる。これに対し、本発明の入退室管理システムでは、１名在室時間算出手段による１名在室時間の算出を、ゲートの解錠を行う入退室制御装置により行うために情報送信のタイムラグの問題を低減でき算出に要する処理時間を速めることができる。入退室制御装置で算出処理を行うため、各種設定情報や履歴情報を記憶する管理サーバの負担も軽減される。また、入退室制御装置で算出する構成とすれば、万一管理サーバがダウンしても１名在室時間を算出できる。
【００１４】
また、本発明は、前記ゲートが複数設けられている場合において、所定のゲートおよびそのＩＤ入力端末に接続するように前記入退室制御装置を複数台設け、前記１名在室時間算出手段による１名在室時間の算出を前記複数の入退室制御装置の間で共有可能に行うことを特徴とする。
【００１５】
仮に１名在室時間算出手段による１名在室時間の算出を管理サーバで行おうとした場合、大規模なネットワークの場合には、退室情報が入室情報よりも早く管理サーバに届いて１名在室時間の算出をスムースに行えないおそれがある。これに対して、本発明の入退室管理システムでは、１名在室時間算出手段による１名在室時間の算出を、それぞれゲートの解錠を行う入退室制御装置の間で共有して行うため、ネットワークにおける情報送信のタイムラグの問題を低減でき、１名在室時間の算出をスムースに行うことができる。
【発明の効果】
【００１６】
本発明の入退室管理システムによれば、１名在室履歴の検索を容易に行える。これにより、定期的な監査を行う場合、１名で在室した実績のある者に対して注意をすることが可能となる。また、何らかの内部犯罪が発生した場合に１名で在室した履歴を出力し、犯人追跡に役立てることができる。
【図面の簡単な説明】
【００１７】
【図１】本発明に係る入退室管理システムの構成例を示す図である。
【図２】特定エリアとゲートのイメージ平面図である。
【図３】在室情報テーブルの構成例を示す図である。
【図４】イベント履歴ファイルの構成例を示す図である。
【図５】在室状況を経時的に示す説明図である。
【図６】１名在室時間集計の構成例を示す図である。
【発明を実施するための形態】
【００１８】
本発明に係る入退室管理システム１の主構成は、図１に示すように、管理サーバ２と、入退室制御装置３と、電気錠式の扉等からなるゲート４と、暗証番号の入力装置や暗証カードのカードリーダなど、入室者の認証ＩＤを入力するＩＤ入力端末５と、からなる。図２に示すように、特定のエリアに対して入退室用のゲート４が複数ある場合（ゲート４Ａ〜４Ｄにて示す）、入退室制御装置３は適宜に分割して設けられ、図１ではゲート４Ａ、４Ｂに接続する入退室制御装置３Ａと、ゲート４Ｃ、４Ｄに接続する入退室制御装置３Ｂとから構成した場合を示している。ＩＤ入力端末５は各ゲート４Ａ〜４Ｄ周りにそれぞれ設けられる。
【００１９】
管理サーバ２は、入退室制御装置３の設定、前記ＩＤ入力端末５等の設定、検索機能を有した入室者の個人情報の格納管理、検索機能を有した入退室イベント情報の履歴の格納管理等を行う。管理サーバ２にはパソコン等の処理端末（不図示）が接続され、その処理端末のモニタには、入室者の個人情報や入退室管理システム１の各種設定状態が表示され、入退室イベント情報の履歴もリアルタイムで表示される。
【００２０】
入退室制御装置３は、ＣＰＵ、メモリ等から構成される。入退室制御装置３は、ＬＡＮを介して管理サーバ２に接続するとともに、制御専用回線を介してＩＤ入力端末５およびゲート４の電気錠に接続する。入退室制御装置３は、ＩＤ入力端末５で入力された入室者の入力ＩＤ情報と、管理サーバ２に予め格納されている入室者の登録ＩＤ情報とを照合して両者が一致したときゲート４を解錠するＩＤ照合処理部６を有する。本実施形態の場合、複数の入退室制御装置３Ａ、３Ｂは管理サーバ２を介することなく互いにデータ送信可能にＬＡＮ接続されている。
【００２１】
本発明の入退室管理システム１は、入退室情報から求められる特定エリア内の在室者数が、１名になったときには、少なくともその在室者の個人ＩＤおよび１名在室開始の発生日時の情報を有する「１名在室開始履歴」を記録し、その後に１名でなくなったときには、少なくとも前記在室者の個人ＩＤおよび１名在室終了の発生日時の情報を有する「１名在室終了履歴」を記録する１名在室履歴記録手段を備えることを主な特徴とする。ここにいう個人ＩＤとは、前記した管理サーバ２に予め格納されている入室者の登録ＩＤ情報と同じものであってもよいし、異なるものであってもよい。
【００２２】
入退室管理システム１において、入退室情報から求められる特定エリア内の在室者数が１名になったと認識する際に用いる入退室情報は次の２つである。
（１）「０名→１名」となったときの情報、すなわち無人の特定エリアに１人の入室があったときのその入室情報Ｄ１
（２）「２名→１名」となったときの情報、すなわち２名が在室している状態から１人の退室があったときのその退室情報Ｄ２
【００２３】
入退室情報から求められる特定エリア内の在室者数が１名でなくなったと認識する際に用いる入退室情報は次の２つである。
（３）「１名→２名」となったときの情報、すなわち１名が在室している状態でさらに１人の入室があったときのその入室情報Ｄ３
（４）「１名→０名」となったときの情報、すなわち１名が在室している状態でその人物が退室したときの退室情報Ｄ４
【００２４】
前記入室情報Ｄ１、退室情報Ｄ２、入室情報Ｄ３および退室情報Ｄ４は、例えば初期リセット時からの入退室回数の積算により容易に特定されるものである。
【００２５】
前記１名在室履歴記録手段は在室情報処理部７として入退室制御装置３に備えられる。ここで、仮に入退室情報を管理サーバ２に送信して管理サーバ２により１名在室時間を算出したとすると、１名在室時間をスムースに算出できない場合がある。例えば、図１、図２に示すシステム構成で、特定のエリアに対してゲート４Ａから入室しゲート４Ｃから退室した場合、入退室制御装置３Ａがゲート４Ａからの入室情報を持ち、入退室制御装置３Ｂがゲート４Ｃからの退室情報を持ち、管理サーバにそれら入室情報および退室情報が送信されたとき、大規模なネットワークの場合には退室情報が入室情報よりも早く管理サーバに届くことがあり、この場合には１名在室時間を算出できない事態が生じ得る。
【００２６】
本実施形態では、複数の入退室制御装置３Ａ、３Ｂ間で入退室イベント情報を共有し、入退室制御装置３Ａ、３Ｂのいずれかで１名在室時間を算出する構成であり、これによりネットワークにおける情報送信のタイムラグの問題を低減している。例えば、ゲート４Ａにて入室がありゲート４Ｃにて退室があった場合、ゲート４Ａに接続した入退室制御装置３Ａは、ゲート４Ａの入室情報を、管理サーバ２にではなく、ゲート４Ｃに接続した入退室制御装置３Ｂに送信する。入退室制御装置３Ｂは、送信されてきた入室情報と自身が持つゲート４Ｃの退室情報とから１名在室時間を算出し、この算出結果を管理サーバ２に送信する。
【００２７】
以下に具体的な入退室イベント情報の持ち方について説明する。
入退室制御装置３は、入退室イベント情報として、図３および図４に示すように、在室情報テーブル８の作成およびイベント履歴ファイル９の記録を行う。在室情報テーブル８は複数の入退室制御装置３Ａ、３Ｂが共有するデータである。イベント履歴ファイル９は入退室制御装置３Ａ、３Ｂのそれぞれにおいて記録されるデータである。在室情報テーブル８およびイベント履歴ファイル９の各データは時系列的に作成される。
【００２８】
在室情報テーブル８には、個人ＩＤ毎に在室情報としてのデータが作成される。具体的には、在室情報テーブル８のデータは、個人ＩＤと、入室した入室時刻（年月日を含むものとする）と、１名在室が開始された場合の１名在室開始時刻（年月日を含むものとする）と、入室エリアの番号とからなり、これらにはレコードＮｏ．が付与される。ある個人ＩＤの人物が退室したらその個人ＩＤの人物のデータはクリアされ、再度入室すれば、同様のデータが作成される。
【００２９】
イベント履歴ファイル９は、入退室イベント情報が発生した発生日付時刻と、個人ＩＤと、在室エリア（前記入室エリアに相当）の番号と、在室時間と、入退出のイベント内容とからなる。イベント内容には、「入室」、「退室」、「１名在室開始」、「１名在室終了」のいずれかが書き込まれる。イベント内容が「１名在室終了」の場合には、そのデータに対応する在室時間の項目に、１名だけで在室していた時間を示す１名在室時間が書き込まれる。また、イベント内容が「退室」の場合には、室内人数に拘わらずその退室した人物が在室していたトータルの在室時間が書き込まれる。
【００３０】
図３〜図５を参照して、無人のエリア（図３の入室エリア、図４の在室エリア）００１に対して、個人ＩＤ１２３４の人物が１０時に入室して１１時３０分に退室し、個人ＩＤ４５６７の人物が１１時に入室して１２時に退室した場合の具体的なデータ処理の一例について説明する。
【００３１】
（１）「個人ＩＤ１２３４の人物が１０時にエリア００１に入室したとき」
エリア００１の在室人数が０名から１名となり、入退室制御装置３は、前記入室情報Ｄ１があったと認識し、イベント履歴ファイル９に「入室」イベント情報Ｅ１と「１名在室開始」イベント情報Ｅ２とを同時に書き込む。この「１名在室開始」イベント情報Ｅ２が、個人ＩＤ１２３４の人物に関する「１名在室開始履歴」であり、発生日付時刻の項目には１名在室開始の発生時刻として例えば２００９年１１月１日１０時００分（以降、年月日については省略）と書き込まれる。
また、入退室制御装置３は、在室情報テーブル８において、前記入室情報Ｄ１として、レコードＮｏ．００１に、個人ＩＤの番号「１２３４」と、入室時刻と、１名在室開始時刻と、入室エリアＮｏ．とを書き込む。
【００３２】
（２）「個人ＩＤ４５６７の人物が１１時にエリア００１に入室したとき」
個人ＩＤ４５６７の人物の入室によりエリア００１の在室人数が１名から２名となり、入退室制御装置３は、前記入室情報Ｄ３があったと認識し、イベント履歴ファイル９に「入室」イベント情報Ｅ３と「１名在室終了」イベント情報Ｅ４とを同時に書き込む。この「１名在室終了」イベント情報Ｅ４が個人ＩＤ１２３４の人物に関する「１名在室終了履歴」であり、発生日付時刻の項目には１名在室終了の発生時刻として１１時００分と書き込まれる。
そして、入退室制御装置３は、前記入室情報Ｄ１に相当する在室情報テーブル８のレコードＮｏ．００１に書き込まれた個人ＩＤ１２３４の１名在室開始時刻と、前記入室情報Ｄ３に相当する個人ＩＤ４５６７の人物の入室時刻とから、個人ＩＤ１２３４の１名在室時間を計算する。前記「１名在室終了」イベント情報Ｅ４の在室時間の項目には、この計算で求めた個人ＩＤ１２３４の１名在室時間である１０時から１１時までの１時間として「１Ｈ」が書き込まれる。
また、在室情報テーブル８のレコードＮｏ．００２に、個人ＩＤの番号「４５６７」と、入室時刻と、入室エリアＮｏ．とが書き込まれる。このときは未だレコードＮｏ．００２において１名在室開始時刻は書き込まれない。
【００３３】
（３）「個人ＩＤ１２３４の人物が１１時３０分にエリア００１から退室したとき」
個人ＩＤ１２３４の人物の退室によりエリア００１の在室人数が２名から１名となり、入退室制御装置３は、前記退室情報Ｄ２があったと認識し、イベント履歴ファイル９に「退室」イベント情報Ｅ５と「１名在室開始」イベント情報Ｅ６とを同時に書き込む。この「１名在室開始」イベント情報Ｅ６が、個人ＩＤ４５６７の人物に関する「１名在室開始履歴」であり、発生日付時刻の項目には１名在室開始の発生時刻として１１時３０分と書き込まれる。
また、入退室制御装置３は、前記退室情報Ｄ２に相当する個人ＩＤ１２３４の人物の退室時刻と、在室情報テーブル８のレコードＮｏ．００１に書き込まれた個人ＩＤ１２３４の人物の入室時刻とから、個人ＩＤ１２３４の人物のトータルの在室時間を計算する。前記「退室」イベント情報Ｅ５の在室時間の項目には、個人ＩＤ１２３４の人物のトータルの在室時間である１０時から１１時３０分までの１時間３０分として「１．５Ｈ」が書き込まれる。
個人ＩＤ１２３４の人物が退室したので、在室情報テーブル８のレコードＮｏ．００１のデータはクリアされる。
個人ＩＤ１２３４の人物の退室により在室人数が２名から１名になると、空欄であった在室情報テーブル８のレコードＮｏ．００２の１名在室開始時刻の項目に、前記退室情報Ｄ２として個人ＩＤ１２３４の人物の退室時刻である１１時３０分が書き込まれる。
【００３４】
（４）「個人ＩＤ４５６７の人物が１２時にエリア００１から退室したとき」
個人ＩＤ４５６７の人物の退室によりエリア００１の在室人数が１名から０名となり、入退室制御装置３は、前記退室情報Ｄ４があったと認識し、イベント履歴ファイル９に「退室」イベント情報Ｅ７と「１名在室終了」イベント情報Ｅ８とを同時に書き込む。この「１名在室終了」イベント情報Ｅ８が個人ＩＤ４５６７の人物に関する「１名在室終了履歴」であり、発生日付時刻の項目には１名在室終了の発生時刻として１２時００分と書き込まれる。
また、入退室制御装置３は、在室情報テーブル８のレコードＮｏ．００２に書き込まれた個人ＩＤ４５６７の入室時刻と、前記退室情報Ｄ４に相当する個人ＩＤ４５６７の人物の退室時刻とから、個人ＩＤ４５６７の人物のトータルの在室時間を計算する。「退室」イベント情報Ｅ７の在室時間の項目には、個人ＩＤ４５６７の人物のトータルの在室時間である１１時から１２時までの１時間として「１Ｈ」が書き込まれる。
さらに、入退室制御装置３は、前記退室情報Ｄ２に相当する在室情報テーブル８のレコードＮｏ．００２に書き込まれた個人ＩＤ４５６７の１名在室開始時刻と、前記退室情報Ｄ４に相当する個人ＩＤ４５６７の人物の退室時刻とから、個人ＩＤ４５６７の１名在室時間を計算する。「１名在室終了」イベント情報Ｅ８の在室時間の項目には、この計算で求めた個人ＩＤ４５６７の１名在室時間である１１時３０分から１２時までの０．５時間として「０．５Ｈ」が書き込まれる。
そして、個人ＩＤ４５６７の人物が退室したことにより、在室情報テーブル８のレコードＮｏ．００２のデータはクリアされる。
【００３５】
（５）入退室制御装置３で作成されたイベント履歴ファイル９の全情報は、管理サーバ２に送信され、格納される。
管理サーバ２では、イベント履歴検索により、検索期間、個人ＩＤ、エリアＮｏ．を指定して検索条件を絞り込むことにより、１名在室時間を集計可能であり、接続した処理端末のモニタでは、図６に示すように、リスト形式での印刷イメージのプレビュー表示が可能である。
【００３６】
以上のように本発明の入退室管理システム１は、入退室情報から求められる前記特定エリア内の在室者数が、１名になったときには、少なくともその在室者の個人ＩＤ（図４における個人ＩＤ）および１名在室開始の発生日時(図４における発生日付時刻)の情報を有する「１名在室開始履歴」（図４の「１名在室開始」イベント情報Ｅ２、Ｅ６）を記録し、その後に１名でなくなったときには、少なくとも前記在室者の個人ＩＤ（図４における個人ＩＤ）および１名在室終了の発生日時(図４における発生日付時刻)の情報を有する「１名在室終了履歴」（図４の「１名在室終了」イベント情報Ｅ４、Ｅ８）を記録する手段を有しているので、「１名在室開始履歴」および「１名在室終了履歴」の両データから個人毎の１名在室時間を容易に把握できる。
【００３７】
また、特定エリア内の在室者数が１名になったときの入退室情報（入室情報Ｄ１、退室情報Ｄ２）と、その後に１名でなくなったときの入退室情報（入室情報Ｄ３、退室情報Ｄ４）とから、１名在室時間を算出することにより、簡単な演算プログラムで１名在室時間を算出できる。
【００３８】
さらに、算出した１名在室時間を、図４の「１名在室終了」イベント情報Ｅ４、Ｅ８のように、「１名在室終了履歴」の一部として記録すれば、容易に１名在室時間を集計でき、管理者にとっても１名在室時間を把握しやすくなる。
【００３９】
また、少なくとも１つのゲート４と、ゲート４に対応して設けられるＩＤ入力端末５と、入退室制御装置３と、入退室制御装置３に接続し、入室者の個人情報および入退室イベント情報の履歴を格納管理する管理サーバ２と、を備え、１名在室時間算出手段による１名在室時間の算出を管理サーバ２ではなく入退室制御装置３で行うことにより、入退室情報の送信のタイムラグの問題がなくなり算出に要する処理時間を速めることができる。入退室制御装置３で算出処理を行うため、各種設定情報や履歴情報を記憶する管理サーバの負担も軽減されることになる。また、入退室制御装置３で算出する構成とすれば、万一管理サーバがダウンしても１名在室時間を算出できる。
【００４０】
また、ゲート４が本実施形態のゲート４Ａ〜４Ｄのように複数設けられた場合で、入退室制御装置３を入退室制御装置３Ａ、３Ｂの複数台から構成した場合、仮に１名在室時間算出手段による１名在室時間の算出を管理サーバ２で行おうとすると、大規模なネットワークの場合には、退室情報が入室情報よりも早く管理サーバ２に届いて１名在室時間の算出をスムースに行えないおそれがある。これに対して、１名在室時間算出手段による１名在室時間の算出を入退室制御装置３Ａ、３Ｂ間で共有可能に行うようにすれば、ネットワークにおける情報送信のタイムラグの問題を低減でき、１名在室時間の算出をスムースに行うことができる。
【００４１】
以上、本発明の好適な実施形態を説明した。上記データ処理でのイベント履歴ファイル９と在室情報テーブル８でのデータの書き込み順序は一例であり、イベント履歴ファイル９と在室情報テーブル８とのデータの書き込みの順序はどちらが先でもよい。
【００４２】
また、本発明では、１名での在室時間を計測し、１名での在室時間が所定時間に達した場合には、アラーム用の信号を発するなどして警告することもできる。
【００４３】
また、本発明は、ゲート４の数は特に限定されることはなく、１つのゲート４であってもよい。さらに、入退室制御装置３の台数も１台であってもよい。
【符号の説明】
【００４４】
１      入退室管理システム
２      管理サーバ
３      入退室制御装置
４      ゲート
５      ＩＤ入力端末
６      ＩＤ照合処理部
７      在室情報処理部
８      在室情報テーブル
９      イベント履歴ファイル
Ｅ２、Ｅ６  「１名在室開始」イベント情報（１名在室開始履歴）
Ｅ４、Ｅ８  「１名在室終了」イベント情報（１名在室終了履歴）
【図１】
0005507290.tif 000002
【図２】
0005507290.tif 000003
【図３】
0005507290.tif 000004
【図４】
0005507290.tif 000005
【図５】
0005507290.tif 000006
【図６】
0005507290.tif 000007